(57)【要約】  【課題】  折畳んで携行するときに長尺の傘骨部が邪魔にならず、見た目も美しい実用的な折畳式異形傘を提供する。  【解決手段】  傘骨部（４）は、普通の長さを有する普通尺傘骨部（８）と、普通尺よりも長い長尺傘骨部（９）とを有しており、前記長尺傘骨部（９）は前記普通尺傘骨部（８）の構成に加えて、第３親骨（１４）に回動自在に軸支される第４親骨（２３）と、第３リンク骨（２４）とを設け、前記第３リンク骨（２４）は前記第３親骨（１４）と並設することによって、第２親骨（１３）、前記第３親骨（１４）、前記第４親骨（２３）、前記第３リンク骨（２４）とによって４個の軸支点を有する第３リンク機構（２６）を構成し、折畳み時に前記第４親骨（２３）が前記第３親骨（１４）に対して上方側に折畳まれるように構成したことを特徴とする。【選択図】  図２
2020192097.tif 000002
【特許請求の範囲】
【請求項１】
傘軸と、その傘軸の頂上部から放射形に延びる傘骨部と、傘軸を上下方向にスライドするスライド部と、基端部がスライド部に軸支されるとともに外側端が前記傘骨部に軸支される受骨とを備え、
前記傘骨部は、普通の長さを有する普通尺傘骨部と、普通尺よりも長い長尺傘骨部とを有しており、
前記普通尺傘骨部は、第１親骨、第２親骨、及び第３親骨と、第１親骨と第２親骨とを軸支する第１軸支部と、第２親骨と第３親骨とを軸支する第２軸支部と、スライド部の上下動きによって生じる受骨の角度変化に応じて前記第１親骨、前記第２親骨、及び前記第３親骨を折畳み操作する第１リンク骨と第２リンク骨とを有しており、
前記第１リンク骨は前記第１親骨と並設することによって、前記受骨、前記第１親骨、前記第２親骨、前記第１リンク骨とによって４個の軸支点を有する第１リンク機構を構成し、
前記第２リンク骨は前記第２親骨と並設することによって、前記第１親骨、前記第２親骨、前記第３親骨、前記第２リンク骨とによって４個の軸支点を有する第２リンク機構を構成し、
前記長尺傘骨部は、前記普通尺傘骨部の構成に加えて、第４親骨及び第３リンク骨と、第３親骨と第４親骨とを軸支する第３軸支部とを有しており、
前記第３リンク骨は前記第３親骨と並設することによって、前記第２親骨、前記第３親骨、前記第４親骨、前記第３リンク骨とによって４個の軸支点を有する第３リンク機構を構成し、
折畳み時に前記第３軸支部において、前記第４親骨を前記第３親骨に対して上方側に折畳まれるように構成したことを特徴とする折畳式異形傘。
【請求項２】
前記第３親骨と前記第４親骨とを回動自在に支持する支軸を前記第３親骨と前記第４親骨のどちらか一方に設けるとともに、他方に前記支軸に係合する長孔を設け、前記第３親骨と前記第４親骨との回動動作時に、前記支軸が前記長孔をスライド動作するように構成したことを特徴とする請求項１に記載の折畳式異形傘。
【請求項３】
前記第４親骨を回動自在に支持する支軸を前記第３親骨に設け、傘使用時の開傘状態において、前記支軸回りに前記第４親骨が必要以上に回動しないように前記第４親骨を受け止める受止部を前記第３親骨の先端部に設けたことを特徴とする請求項１〜請求項２のいずれか一項に記載の折畳式異形傘。
【請求項４】
少なくとも一つの前記リンク骨の軸支構造を、前記リンク骨の先端部又は基端部にフック部を設けるとともに、前記受骨又は前記親骨に前記フック部を軸支するための軸支用開口を設け、前記軸支用開口に前記フック部を挿入することで構成したことを特徴とする請求項１〜請求項３のいずれか一項に記載の折畳式異形傘。
【請求項５】
前記長尺傘骨部を複数個設け、それらの複数個の前記長尺傘骨部の長さを同じ長さに設定したことを特徴とする請求項１〜請求項４のいずれか一項に記載の折畳式異形傘。
【請求項６】
前記長尺傘骨部を複数個設け、それらの複数個の前記長尺傘骨部の少なくとも１本の長さが他の前記長尺傘骨部の長さと異なるように設定したことを特徴とする請求項１〜請求項５のいずれか一項に記載の折畳式異形傘。
【発明の詳細な説明】
【技術分野】
【０００１】
本発明は、傘の一部を他の部分と異なる形に構成した異形傘に関する。
【背景技術】
【０００２】
従来、上記異形傘として、下記特許文献に示された傘が公知である。この異形傘は、多数本の傘骨の内の一部を他の傘骨より長尺に形成するとともに、その長尺の傘骨において傘布を広い面積とするものである。また、この異形傘においては、長尺の傘骨は、傘を閉じた際に把手の上端部と同等又は若干短く形成し、さらに、長尺の傘骨を把手の湾曲部の背面側に配置したことを特徴としている。
【０００３】
このような構成を採用することで、傘布を異形に形成することができ、以下の利点があると記載してある。
（１）激しい雨の時や相傘をしたときなどに雨に濡れないようにできる。
（２）傘を閉じた際に、長尺の傘骨を把手の上端部と同等又は若干短く形成することによって、長尺の傘骨の先端部が邪魔になりにくい。
（３）長尺の傘骨を把手の湾曲部の背面側に配置することで、傘を閉じて携行するときに、長尺の傘骨部が邪魔になりにくい。
【先行技術文献】
【特許文献】
【０００４】
【特許文献１】実用新案登録第３０９３５０４号
【発明の開示】
【発明が解決しようとする課題】
【０００５】
しかしながら、上記従来技術は以下の課題がある。
把手の上端部と同等又は若干短く形成しても、傘を閉じて携行するときに長尺の傘骨部が邪魔であることに変わりはない。また、通常の傘を見慣れている人にとっては、長尺の傘骨部の存在は携行時に邪魔で異物的な感じがして、常時使用する傘としては違和感が残る。
また、上記従来の異形傘においては、長尺の傘骨があることで風を受ける面積が増えて強度の維持も問題になる。
【０００６】
本発明の目的は、上記従来技術が有する課題を解決できる異形傘を提供することにある。
具体的な目的の一例を示すと、以下の通りである。
（ａ）折畳んで携行するときに長尺の傘骨部が邪魔にならず、見た目も美しい実用的な折畳式異形傘を提供する。
（ｂ）長尺の傘骨部があっても強風にも対処できる折畳式異形傘を提供する。
（ｃ）デザイン性を簡単に高めることができる折畳式異形傘を提供する。
なお、上記に記載した以外の発明の課題、その解決手段及びその効果は、後述する明細書内の記載において詳しく説明する。
【課題を解決するための手段】
【０００７】
本発明は多面的に表現できるが、例えば、代表的なものを挙げると、次のように構成したものである。
本発明に係る折畳式異形傘は、傘軸と、その傘軸の頂上部から放射形に延びる傘骨部と、傘軸を上下方向にスライドするスライド部と、基端部がスライド部に軸支されるとともに外側端が前記傘骨部に軸支される受骨とを備え、
前記傘骨部は、普通の長さを有する普通尺傘骨部と、普通尺よりも長い長尺傘骨部とを有しており、
前記普通尺傘骨部は、第１親骨、第２親骨、及び第３親骨と、第１親骨と第２親骨とを軸支する第１軸支部と、第２親骨と第３親骨とを軸支する第２軸支部と、スライド部の上下動きによって生じる受骨の角度変化に応じて前記第１親骨、前記第２親骨、及び前記第３親骨を折畳み操作する第１リンク骨と第２リンク骨とを有しており、
前記第１リンク骨は前記第１親骨と並設することによって、前記受骨、前記第１親骨、前記第２親骨、前記第１リンク骨とによって４個の軸支点を有する第１リンク機構を構成し、
前記第２リンク骨は前記第２親骨と並設することによって、前記第１親骨、前記第２親骨、前記第３親骨、前記第２リンク骨とによって４個の軸支点を有する第２リンク機構を構成し、
前記長尺傘骨部は、前記普通尺傘骨部の構成に加えて、第４親骨及び第３リンク骨と、第３親骨と第４親骨とを軸支する第３軸支部とを有しており、
前記第３リンク骨は前記第３親骨と並設することによって、前記第２親骨、前記第３親骨、前記第４親骨、前記第３リンク骨とによって４個の軸支点を有する第３リンク機構を構成し、
折畳み時に前記第３軸支部において、前記第４親骨を前記第３親骨に対して上方側に折畳まれるように構成したことを特徴とする。
【０００８】
この構成であれば、折畳み時に第４親骨が第３親骨に対して上方側に折畳まれるので、従来技術のように傘を折畳んで携行するときに長尺の傘骨部が突出して邪魔になることはない。したがって、異形傘であっても従来の折畳式傘と同じように違和感がなく使用できる。
【０００９】
一般に、折畳み傘は小さくコンパクトにすることを最大の目的として開発された傘であるから、傘軸は短いものか、又は伸縮自在に構成されることが多い。したがって、折畳み傘を前記した従来技術の方法で異形傘にすると、閉じて携行するときに長尺の傘骨部が邪魔になる不利益が大きくなる。
つまり、従来は、折り畳んだときに長尺の傘骨部が邪魔になり、見栄えの悪くなるという不利益が大きすぎるので、当業者にとって折畳み式の異形傘を考えることは全く想定できなかったのである。
【００１０】
本発明に係る他の実施形態は、前記第３親骨と前記第４親骨とを回動自在に支持する支軸を前記第３親骨と前記第４親骨のどちらか一方に設けるとともに、他方に前記支軸に係合する長孔を設け、前記第３親骨と前記第４親骨との回動動作時に、前記支軸が前記長孔をスライド動作するように構成したことを特徴とする。
この構成であれば、第４親骨を第３親骨によって回動自在に支持する場合に、第４親軸と第３親骨はスライド動作できるので、支軸の位置が動けない構成に比べて、折畳み時や伸長時にスムーズな動作を実現できる。
【００１１】
本発明に係る他の実施形態は、前記第４親骨を回動自在に支持する支軸を前記第３親骨に設け、傘使用時の開傘状態において、前記支軸回りに前記第４親骨が必要以上に回動しないように前記第４親骨を受け止める受止部を前記第３親骨の先端部に設けたことを特徴とする。
この構成であれば、傘使用時の開傘状態において、受止部の存在によって、その受け止部を超えて第４親骨が必要以上に回動しないように第４親骨を受け止めることができるので、第４親骨の状態を安定させることができる。第４親骨は傘軸から最も外側に離れた位置にあるので強風が吹いたときなどに影響を受けやすいが本構成であれば第４親骨を安定して支持できる。
【００１２】
本発明に係る他の実施形態は、少なくとも一つの前記リンク骨の軸支構造を、前記リンク骨の先端部又は基端部にフック部を設けるとともに、前記受骨又は前記親骨に前記フック部を軸支するための軸支用開口を設け、前記軸支用開口に前記フック部を挿入することで構成したことを特徴とする。
この構成であれば、リンク骨を受骨や親骨に軸支する場合に、受骨、第１親骨、第２親骨、第３親骨にフック部を軸支できる軸支開口を形成することで、比較的簡単に前記リンク機構を構成することができる。
【００１３】
本発明に係る他の実施形態は、前記長尺傘骨部を複数個設け、それらの複数個の前記長尺傘骨部の長さを同じ長さに設定したことを特徴とする。
この構成であれば、普通尺傘骨部から突出するそれぞれの第４親骨の長さが等しくなるので、異形傘を構成する異形布部の面積を広くすることができ、異形布部があることによる利益を大きくすることができる。また、複数個の長尺傘骨部の長さを同じ長さに設定することで、四角形状の異形布部が少なくとも１つはでき、安定感を与える傘デザインとすることができる。
【００１４】
本発明に係る他の実施形態は、前記長尺傘骨部を複数個設け、それらの複数個の前記長尺傘骨部の少なくとも１本の長さが他の前記長尺傘骨部の長さと異なるように設定したことを特徴とする。
なお、この構成は例えば、４本の長尺傘骨部を設ける場合を考えた時に、中央部２本の長尺傘骨部の長さが大きく、両側の長尺傘骨部の長さは中央２本の長尺傘骨部よりは小さい長さに構成するような場合も含まれる。
この構成であれば、普通尺傘骨部から突出する第４親骨が形成する外形の形状を、普通尺傘骨部が構成する傘外形に対してバリエーション豊かに異形にすることができる。
【発明の効果】
【００１５】
以上説明したように、本発明であれば、折畳んで携行するときに長尺の傘骨部が邪魔にならず、見た目も美しい実用的な折畳式異形傘を提供できた。長尺の傘骨部があっても強風にも対処できる折畳式異形傘を提供できた。また、デザイン性を簡単に高めることができる折畳式異形傘を提供できた。
【図面の簡単な説明】
【００１６】
【図１】本実施形態において普通尺傘骨部を少し折畳んだ状態の様子を説明する正面図である。
【図２】本実施形態において長尺傘骨部を少し折畳んだ状態の様子を説明する正面図である。
【図３】本実施形態において普通尺傘骨部の使用時の状態であり、普通尺傘骨部を延ばした状態を説明する正面図である。
【図４】本実施形態において長尺傘骨部の使用時の状態であり、長尺傘骨部を延ばした状態を説明する正面図である。
【図５】本実施形態において普通尺傘骨部を小さく折畳んで保管状態にする途中の様子を説明するための正面図である。
【図６】本実施形態において長尺傘骨部を小さく折畳んで保管状態にする途中の様子を説明するための正面図である。
【図７】（ａ）は第３親骨と第４親骨との第３軸支部付近の斜視図、（ｂ）はその正面図である。
【図８】本実施形態において、第３親骨と第４親骨との第３軸支部付近を示す図であり、第３親骨と第４親骨が略直線形になった状態、即ち延びた状態を示す正面図である。
【図９】本実施形態において、（ａ）は７本の親骨を有する異形傘の例、（ｂ）は８本の親骨を有する異形傘の例である。
【図１０】本実施形態において、リンク骨の先端部又は基端部にフック部を設け、軸支用開口に係止させた構成を示す斜視図である。
【発明を実施するための最良の形態】
【００１７】
以下、本発明の実施形態に係る折畳式異形傘を図面に基づき説明する。
この明細書において、傘軸側を内側又は基端側と称し、傘の外周側を外側と称する。また、傘の半径方向を幅方向と称し、傘軸の延びる方向を上下方向と称する。
【００１８】
図１から図６に示すように、本実施形態に係る折畳式異形傘（１）は、基本的に従来の折畳式傘が備えている構成を有している。
即ち、例えば図２に示すように、伸縮自在の傘軸（２）と、その傘軸（２）の頂上部（３）から所定角度毎に放射形に延びる傘骨部（４）と、傘軸（２）を上下方向にスライドするスライド部（５）と、基端部がスライド部（５）に軸支されるとともに外側端が傘骨部（４）に軸支される受骨（６）と、傘軸（２）の下端部に設けられた把持部（７）を備えている。ここで、傘軸（２）、頂上部（３）、受骨（６）及び把持部（７）の構成については、従来構成の折畳式傘と同様のものを採用することが可能である。
この折畳式異形傘（１）は、折畳式異形傘用に工夫した普通尺傘骨部（８）を有するとともに、その普通尺傘骨部（８）の他に、少なくとも１個の長尺傘骨部（９）を有している。
【００１９】
［普通尺傘骨部（８）］
図１、図３及び図５にそれぞれ示すように、普通尺傘骨部（８）は、第１親骨（１２）、第２親骨（１３）、及び第３親骨（１４）と、第１リンク骨（１５）及び第２リンク骨（１６）を有している。各リンク骨（１５，１６）は、対応する各親骨（１２〜１４）とともに、４個の軸支点を有する略四角形を基本とする第１リンク機構（１７）、第２リンク機構（１８）を構成する。
第１親骨（１２）は、その内側端は頂上部（３）に軸支されるとともに、その外側端は、第２親骨（１３）の内側端よりも少し外側にずれた位置に設けられた第１軸支部（２０）に回動自在に支持される。
【００２０】
第２親骨（１３）は、その内側端は第１リンク骨（１５）の外側端と軸支されるとともに、その外側端は、第３親骨（１４）の内側端よりも少し外側にずれた位置に設けられた第２軸支部（２１）に回動自在に支持される。
第３親骨（１４）は、その内側端は第２リンク骨（１６）の外側端と軸支されるとともに、その外側端は、傘の外縁の通常布部（３３）（図９参照）を固定するために使用される。
【００２１】
第１リンク骨（１５）は略四角形の第１リンク機構（１７）を形成するように第１親骨（１２）よりも下側に配置される。
第１リンク骨（１５）は、その内側端は受骨（６）の所定内側位置において軸支されるとともに、その外側端は、第２親骨（１３）の外側端に軸支される。
第２リンク骨（１６）は、その内側端は第１親骨（１２）の外端部よりも所定内側位置において軸支されるとともに、その外側端は第３親骨（１４）の外側端に軸支される。
【００２２】
第２リンク骨（１６）は前記略四角形の第２リンク機構（１８）を形成するために設けられる。第２リンク骨（１６）は第１親骨（１２）よりも上側に配置される。第２親骨（１３）の中間部には第２リンク骨（１６）を第２親骨（１３）に近づけるように係止する第１係止部（２８）が設けてある。第２リンク骨（１６）は第２親骨（１３）よりも上方にあるので、第１係止部（２８）を設けることで第２リンク骨（１６）を第２親骨（１３）に近接させ、傘布を第２親骨（１３）から大きく離れないようにすることができる。また、第１係止部（２８）があることで、傘を折畳むときに幅方向の大きさをコンパクトにできる。
【００２３】
［長尺傘骨部（９）］
図２、図４及び図６にそれぞれ示すように、長尺傘骨部（９）は、大略的には、前記普通尺傘骨部（８）に第３軸支部（２５）、第３リンク骨（２４）、第４親骨（２３）、第３リンク機構（２６）を付け加えた構成としてある。
具体的に説明すると、第３親骨（１４）に下側に第３リンク骨（２４）を設けてある。  第３リンク骨（２４）の内側端は、第２親骨（１３）の第２軸支部（２１）よりも内側位置に軸支され、第３リンク骨（２４）の外側端は、第４親骨（２３）の内側端に軸支されている。
【００２４】
第４親骨（２３）は、第３軸支部（２５）位置において、第３親骨（１４）から見て上方に折畳まれるように回動自在に軸支される。
第３リンク骨（２４）は四角形の第３リンク機構（２６）を形成するように第３親骨（１４）に比べて下側に配置される。第３親骨（１４）の先端側寄りには第３リンク骨（２４）を第３親骨（１４）に近づける方向に支持する第２係止部（２９）が設けてある。
【００２５】
第３リンク骨（２４）は普通尺傘骨部（８）から見れば、傘の外周側位置近くにあるので、第２係止部（２９）を設けることで、傘骨の先端側寄り位置において第３リンク骨（２４）が下側に突出することを抑制することができる。
また、第４親骨（２３）の長さは、第３親骨（１４）の長さと略同じか又は小さく形成することが好ましい。
第１リンク骨（１５），第２リンク骨（１６）及び第３リンク骨（２４）はそれぞれ弾性変形できる金属部材や樹脂材料等で構成されることが多い。
【００２６】
［第３親骨（１４）と第４親骨（２３）の回動部構成］
図７及び図８はそれぞれ、第３親骨（１４）と第４親骨（２３）の回動部である第３軸支部（２５）付近の拡大図である。
図７（ａ）に主に示すように、第３親骨（１４）の先端部は、一対の保持片（３０・３０）を備えており、全体形状が略Ｕ字形に形成してある。その保持片（３０・３０）に架け渡すように支軸（３１）が設けてある。保持片（３０・３０）の下側面には長手方向に延びる開口部（４７）が形成してある。
【００２７】
一方、第４親骨（２３）の内側端部には、第３リンク骨（２４）を回動自在に支持する軸支部（４８）が設けられ、その軸支部（４８）の少し外側寄り位置には長孔（３２）が長手方向に延びるように設けられている。その長孔（３２）には、前記支軸（３１）が挿通され、第３親骨（１４）と第４親骨（２３）とが回動自在に支持されることによって前記した第３軸支部（２５）が構成される。
【００２８】
第４親骨（２３）は長孔（３２）を有していることで、第３親骨（１４）に設けられた支軸（３１）に対して長手方向に相互に微妙に動くことができ、傘を広げるときに、図２に示すような第４親骨（２３）が第３親骨（１４）に対して上方に折れた状態から、図４に示すような第３親骨（１４）と第４親骨（２３）とがほぼ真っすぐに延びる状態への移行をスムーズに行うことができる。また、その逆の動作においても、スムーズに行うことができる。
【００２９】
［第３親骨（１４）の受止部（３８）による第４親骨（２３）の受止め構成］
図８に示すように、第３親骨（１４）と第４親骨（２３）とを回動自在に支持する支軸（３１）を第３親骨（１４）に設け、傘使用時に傘の開いた状態を固定する回動角度位置において、それ以上、第４親骨（２３）が支軸（３１）回りに回動しないように第４親骨（２３）を受け止める受止部（３８）を第３親骨（１４）の先端部の下側位置に設けている。
具体的には、図７に示すように、第３親骨（１４）において、開口部（４７）よりも先端側の下側位置に受止部（３８）を設けてある。受止部（３８）は図８に示すように、第３親骨（１４）と第４親骨（２３）とが略直線に延びた状態の時に第４親骨（２３）の下面を受け止めることによって支持するように構成してある。
【００３０】
この構成であれば、雨が降ったときに傘を開いてスライド部（５）を固定する状態において、受止部（３８）の存在によって、その固定位置を超えて第４親骨（２３）が支軸（３１）回りに回動しないように第４親骨（２３）を受け止めることができるので、異形布部（１０）を支持する第４親骨（２３）の状態を安定させることができる。
一般に、折畳み傘の強度は折畳まない傘に比べて強度が低下する。
また、第４親骨（２３）は傘軸（２）から最も外側に離れた位置にあるので、風を受けたときの力のモーメントによる影響は大きくなるので、第４親骨（２３）の状態を安定して支持できる実用上の効果は大きい。
【００３１】
［異形布部（１０）］
図９（ａ）（ｂ）に一例として示すように、本折畳式異形傘（１）は普通尺傘骨部（８）で構成される通常布部（３３）と、異形布部（１０）を備えている。
前記した第４親骨（２３）と第３リンク骨（２４）を備えた長尺傘骨部（９）を少なくとも一つ有する構成のうち、図９（ａ）（ｂ）に示す実施形態では、２本の長尺傘骨部（９）を設けた構成を示している。
【００３２】
通常布部（３３）は、図９（ａ）に示す略正七角形、図９（ｂ）に示す略正八角形を覆う布部で構成してある。異形布部（１０）は、前記略正七角形、略正八角形から突出する２本の長尺傘骨部（９）を覆う布部であり、２本の長尺傘骨部（９）間を結ぶ１個の長尺縁（３４）と、その長尺縁（３４）の両側に設けられ、長尺傘骨部（９）の先端部と普通尺傘骨部（８）の先端部を結ぶ２個の傾斜縁（３５）とを有している。
【００３３】
図９（ａ）（ｂ）に示す構成では、異形布部（１０）は長尺傘骨部（９・９）の間に挟まれた略四角形状布（４２）と、長尺傘骨部（９）と普通尺傘骨部（８）の間に挟まれた両側の略三角形布（４３）を有したものが例示されている。
なお、他のパターンとして、図示はしないが、長尺傘骨部（９）を３本にすることも可能である。その場合は、中央に存在する異形布部（１０）に係る第４親骨（２３）の長さを脇の他の異形布部（１０）に係る第４親骨（２３）の長さよりも大きく設定することでできる。
このような異形布部（１０）を有していることで、例えば後方の長尺骨により広がった面で、背面に背負う鞄（バックパック）を守ることができる。
【００３４】
［リンク骨の軸支構造］
図１０に示す構成では、第１親骨（１２）の一対の側壁面に挿通するような軸支用開口（４０）を設けている。また、第２リンク骨（１６）の内側端部は鉤状に曲がったフック部（３９）に形成してある。そして、軸支用開口（４０）にフック部（３９）を通して、軸支用開口（４０）回りに第２リンク骨（１６）が回動できるように支持してある。
このような構成であれば、針金のような第２リンク骨（１６）を比較的簡単に回動自在に支持することができる。
【００３５】
［作用］
上記構成の折畳式異形傘（１）の作用について簡単に説明する。
作用の説明は、主に長尺傘骨部（９）に基づいて行う。
折畳式異形傘（１）を完全に折畳んだ状態（図示せず）から、図６から図２へ、図２から図４に至るように示すように、傘を広げていくことを考える。
そのために、スライド部（５）を上方向に移動させると、傘軸（２）と受骨（６）との為す角度（θ）は、次第に大きくなり、第１親骨（１２）は上方に開くように持ち上げられる。
すると、第１親骨（１２）、第２親骨（１３）、第３親骨（１４）、第４親骨（２３）は、第１リンク機構（１７）、第２リンク機構（１８）、第３リンク機構（２６）の働きによって折畳まれた状態から伸長した状態に変化する。
図２に示すように、第１リンク骨（１５）は角度（θ）が大きくなるにしたがって、第２親骨（１３）の内端を、第１軸支部（２０）を中心として時計回りに回動させる（矢印４４で示す）ことによって第２親骨（１３）を伸長させる。
【００３６】
同様に、第２リンク骨（１６）は角度（θ）が大きくなるにしたがって、第３親骨（１４）の内端を、第２軸支部（２１）を中心として反時計回りに回動させる（矢印４５で示す）ことによって第３親骨（１４）を伸長させる。
同様に、第３リンク骨（２４）は角度（θ）が大きくなるにしたがって、第４親骨（２３）の内端を、第３軸支部（２５）を中心として時計回りに回動させる（矢印４６で示す）ことによって第４親骨（２３）を伸長させる。
このようにしてスライド部（５）が上部所定位置でロックされた状態では、図４に示すように長尺傘骨部（９）を第１親骨（１２）から第４親骨（２３）までを延びた状態にできる。
閉じる場合は、逆の動きをさせる。このような構成であれば、第４親骨（２３）を第３親骨（１４）の長さ範囲内に収まるように上下方向の長さをコンパクトに維持したままで、異形部分を折り畳むことができる。
【００３７】
本発明は上記実施形態以外にも本発明の要旨を変更しない範囲で種々の変形を行うことが可能である。
（Ａ）通常布部（３３）と異形布部（１０）との材質、透明度、色を変えることも可能である。通常布部（３３）と異形布部（１０）の布地の色を変えれば、傘のデザインを変化させることができる。特に、異形傘の異形布部（１０）の色を変えることで、通常の傘とは違う印象を与えることができる。また、異形布部（１０）を透明にすれば、横殴りの雨が降っている時でも、異形布部（１０）で雨を避けつつ、前方を透明な異形布部（１０）で見ながら、前進することも可能になる。
【００３８】
（Ｂ）本実施形態において、長尺傘骨部（９）を複数個設け、それらの複数個の第４親骨（２３）の長さを異なるように設定する形態は、前記した従来技術の「激しい雨の時や相傘をしたときなどに雨に濡れないように」という概念を超えて、新しい形態の折畳式傘を提供できる可能性がある。例えば、傘の外形を星形、楕円形、菱形などの各種の形状に設定することができ、デザイン的に注目を浴びる異形折畳式傘にすることも可能になる。
【００３９】
（Ｃ）前記実施形態ではリンク骨を弾力性のある針金等の部材で構成し、前記針金等の部材の先端部又は基端部を折り曲げてフック部（３９）を構成することを例示したが、この構成は必要に応じて採用されるものであって、他の軸支構造を採用することも可能である。
（Ｄ）本発明の構成においては、一般的には傘軸（２）は伸縮自在のものが採用されるが、長さ固定の傘軸（２）を採用することを除外するものではない。また、例えば、図９（ｂ）の構成では４５°の同じ角度間隔で各親骨が頂上部（３）から放射形に延びる構成が示してあるが、異なる角度間隔で各親骨が延びる異形傘においても同様に採用できる。
【符号の説明】
【００４０】
１…折畳式異形傘
２…傘軸
３…頂上部
４…傘骨部
５…スライド部
６…受骨
７…把持部
８…普通尺傘骨部
９…長尺傘骨部
１２…第１親骨
１３…第２親骨
１４…第３親骨
１５…第１リンク骨
１６…第２リンク骨
１７…第１リンク機構
１８…第２リンク機構
２０…第１軸支部
２１…第２軸支部
２３…第４親骨
２４…第３リンク骨
３１…支軸
３２…長孔
３８…受止部
３９…フック部
４０…軸支用開口
【図１】
2020192097.tif 000003
【図２】
2020192097.tif 000004
【図３】
2020192097.tif 000005
【図４】
2020192097.tif 000006
【図５】
2020192097.tif 000007
【図６】
2020192097.tif 000008
【図７】
2020192097.tif 000009
【図８】
2020192097.tif 000010
【図９】
2020192097.tif 000011
【図１０】
2020192097.tif 000012
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
傘軸と、その傘軸の頂上部から放射形に延びる傘骨部と、傘軸を上下方向にスライドするスライド部と、基端部がスライド部に軸支されるとともに外側端が前記傘骨部に軸支される受骨とを備え、
前記傘骨部は、普通の長さを有する普通尺傘骨部と、普通尺よりも長い長尺傘骨部とを有しており、
前記普通尺傘骨部は、第１親骨、第２親骨、及び第３親骨と、第１親骨と第２親骨とを軸支する第１軸支部と、第２親骨と第３親骨とを軸支する第２軸支部と、スライド部の上下動きによって生じる受骨の角度変化に応じて前記第１親骨、前記第２親骨、及び前記第３親骨を折畳み操作する第１リンク骨と第２リンク骨とを有しており、
前記第１リンク骨は前記第１親骨と並設することによって、前記受骨、前記第１親骨、前記第２親骨、前記第１リンク骨とによって４個の軸支点を有する第１リンク機構を構成し、
前記第２リンク骨は前記第２親骨と並設することによって、前記第１親骨、前記第２親骨、前記第３親骨、前記第２リンク骨とによって４個の軸支点を有する第２リンク機構を構成し、
前記長尺傘骨部は、前記普通尺傘骨部の構成に加えて、第４親骨及び第３リンク骨と、第３親骨と第４親骨とを軸支する第３軸支部とを有しており、
前記第３リンク骨は前記第３親骨と並設することによって、前記第２親骨、前記第３親骨、前記第４親骨、前記第３リンク骨とによって４個の軸支点を有する第３リンク機構を構成し、
折畳み時に前記第３軸支部において、前記第４親骨を前記第３親骨に対して上方側に折畳まれるように構成し、
前記第３親骨と前記第４親骨とを回動自在に支持する支軸を前記第３親骨と前記第４親骨のどちらか一方に設けるとともに、他方に前記支軸に係合し前記親骨の長手方向に延びる長孔を設け、前記第３親骨と前記第４親骨との回動動作時に、前記支軸が前記長孔をスライド動作するように構成したことを特徴とする折畳式異形傘。
【請求項２】
前記第４親骨を回動自在に支持する支軸を前記第３親骨に設け、傘使用時の開傘状態において、前記支軸回りに前記第４親骨が必要以上に回動しないように前記第４親骨を受け止める受止部を前記第３親骨の先端部に設けたことを特徴とする請求項１に記載の折畳式異形傘。
【請求項３】
少なくとも一つの前記リンク骨の軸支構造を、前記リンク骨の先端部又は基端部にフック部を設けるとともに、前記受骨又は前記親骨に前記フック部を軸支するための軸支用開口を設け、前記軸支用開口に前記フック部を挿入することで構成したことを特徴とする請求項１又は２に記載の折畳式異形傘。
【請求項４】
前記長尺傘骨部を複数個設け、それらの複数個の前記長尺傘骨部の長さを同じ長さに設定したことを特徴とする請求項１乃至３のいずれか一項に記載の折畳式異形傘。
【請求項５】
前記長尺傘骨部を複数個設け、それらの複数個の前記長尺傘骨部の少なくとも１本の長さが他の前記長尺傘骨部の長さと異なるように設定したことを特徴とする請求項１乃至４のいずれか一項に記載の折畳式異形傘。